(57)【要約】【課題】制御箱を小形にすることができるとともに、制御箱に浸入した雨水を外部に排出することができる空気調和機の室外機を得ること。【解決手段】送風機室と機械室とに跨って仕切板上に設置され、圧縮機を制御する制御装置が収納され、前記送風機室と機械室とに連通し、内部に通風可能な制御箱７０、を備える空気調和機の室外機において、前記制御箱７０の前記送風機室側に設けられた箱状のダクト８０と、前記ダクト８０の前記送風機室側の遮水板８１の一側に設けられた第１の遮水通風孔８１ａと、前記ダクト８０の前記制御箱７０側の防水板の他側に設けられた第２の遮水通風孔と、前記制御箱７０の底部に設けられ前記ダクト８０内に開口する底部通風孔と、前記ダクト８０に設けられダクト８０の底板に落下した水をダクト８０の外部に排水する排水口８３ａと、を備える。【選択図】図３
2011094926.tif 000002
【特許請求の範囲】
【請求項１】
室外送風機を設置した送風機室と、
前記送風機室と仕切板で仕切られ圧縮機を設置した機械室と、
前記送風機室と機械室とに跨って前記仕切板上に設置され、前記圧縮機を制御する制御装置が収納され、前記送風機室と機械室とに連通し、内部に通風可能な制御箱と、
を備える空気調和機の室外機において、
前記制御箱の前記送風機室側に設けられた箱状のダクトと、
前記ダクトの前記送風機室側の遮水板の一側に設けられた第１の遮水通風孔と、
前記ダクトの前記制御箱側の防水板の他側に設けられた第２の遮水通風孔と、
前記制御箱の底部に設けられ前記ダクト内に開口する底部通風孔と、
前記ダクトに設けられダクトの底板に落下した水をダクトの外部に排水する排水口と、
を備えることを特徴とする空気調和機の室外機。
【請求項２】
前記第１の遮水通風孔、第２の遮水通風孔及び底部通風孔は、夫々前記遮水板、防水板及び制御箱の底部を切り起こしたルーバーにより形成されていることを特徴とする請求項１に記載の空気調和機の室外機。
【請求項３】
前記第１の遮水通風孔は、通風スリットが室外機の背面側を向くように、前記遮水板の前面側を縦に送風機室側に切り起こした縦型のルーバーであることを特徴とする請求項２に記載の空気調和機の室外機。
【請求項４】
前記第２の遮水通風孔は、通風スリットが上方を向くように、前記防水板を横にダクト側に切り起こした横型のルーバーであることを特徴とする請求項２に記載の空気調和機の室外機。
【請求項５】
前記底部通風孔は、通風スリットが前記ダクト内に開口するように、前記制御箱の底部をダクト内に切り起こしたルーバーであることを特徴とする請求項２に記載の空気調和機の室外機。
【発明の詳細な説明】
【技術分野】
【０００１】
本発明は、空気調和機の室外機に関する。
【背景技術】
【０００２】
従来、送風機を設置した送風機室と電装部品の収納室との間に通風開口を有する遮水壁と、前記通風開口が直視できないように設けられた邪魔板と、前記邪魔板と協働して前記通風開口が直視できないように設けられたダクトカバーと、前記遮水壁と邪魔板とダクトカバーとにより画成されたダクトとを備え、電装部品の冷却風が流れるように構成した空気調和機の室外機において、前記遮水壁より前記収納室側に防水壁を備え、前記遮水壁とで前記通風開口面積以上の流路断面積を有する減速室を設けた電装箱を備えた空気調和機の室外機が開示されている（例えば、特許文献１参照）。
【先行技術文献】
【特許文献】
【０００３】
【特許文献１】特開２００８−１１６１２３号公報
【発明の概要】
【発明が解決しようとする課題】
【０００４】
しかしながら、上記特許文献１に記載された従来の技術は、電装箱の送風機室側にダクトと減速室とが設けられているので、電装箱が大形になる、という問題があった。また、電装部品の収納室に雨水が浸入してしまったとき、浸入した雨水を送風機室に排出することができない、という問題があった。
【０００５】
本発明は、上記に鑑みてなされたものであって、電装箱（制御箱）を小形にすることができるとともに、電装箱に浸入した雨水を外部（送風機室）に排出することができる空気調和機の室外機を得ることを目的とする。
【課題を解決するための手段】
【０００６】
上述した課題を解決し、目的を達成するために、本発明は、室外送風機を設置した送風機室と、前記送風機室と仕切板で仕切られ圧縮機を設置した機械室と、前記送風機室と機械室とに跨って前記仕切板上に設置され、前記圧縮機を制御する制御装置が収納され、前記送風機室と機械室とに連通し、内部に通風可能な制御箱と、を備える空気調和機の室外機において、前記制御箱の前記送風機室側に設けられた箱状のダクトと、前記ダクトの前記送風機室側の遮水板の一側に設けられた第１の遮水通風孔と、前記ダクトの前記制御箱側の防水板の他側に設けられた第２の遮水通風孔と、前記制御箱の底部に設けられ前記ダクト内に開口する底部通風孔と、前記ダクトに設けられダクトの底板に落下した水をダクトの外部に排水する排水口と、を備えることを特徴とする。
【発明の効果】
【０００７】
本発明にかかる空気調和機の室外機は、制御箱が小形であるとともに、制御箱に浸入した雨水を外部に排出することができる。
【図面の簡単な説明】
【０００８】
【図１】図１は、本発明にかかる空気調和機の室外機の実施例の内部構造を示す斜視図である。
【図２】図２は、実施例の制御箱の分解斜視図である。
【図３】図３は、実施例の制御箱の斜視図である。
【図４】図４は、実施例の制御箱の他の方向から見た斜視図である。
【図５】図５は、実施例の制御箱の部分前面図である。
【発明を実施するための形態】
【０００９】
以下に、本発明にかかる空気調和機の室外機の実施例を図面に基づいて詳細に説明する。なお、この実施例によりこの発明が限定されるものではない。
【実施例】
【００１０】
図１は、本発明にかかる空気調和機の室外機の実施例の内部構造を示す斜視図である。図１に示すように、実施例の空気調和機の室外機９０は、ベース１０上に搭載された、圧縮機２０と、室外熱交換器３０と、室外送風機４０と、圧縮機２０（及び室外送風機４０）を駆動制御する制御部５０と、を備えている。室外機９０は、全体が筺体６０内に収容され、配管及びケーブル（図示せず）により室内機（図示せず）に接続されている。
【００１１】
室外機９０の制御部５０は、室内機からの指示に従い、圧縮機２０及び制御弁等を制御し、圧縮機２０から吐出される冷媒を冷凍サイクルに循環させるとともに、室外送風機４０により室外熱交換器３０に外気を流通させ、冷暖房運転を行なう。
【００１２】
室外送風機４０は、図１の方向から見て時計回りに回転し、室外熱交換器３０側から外気を吸い込んで反対側（室外機９０の前面側）に吹き出す。室外送風機４０と圧縮機２０との間には、仕切板６１が設置され、仕切板６１は、筺体６０内を、送風機室６２と機械室６３とに区画している。機械室６３には、圧縮機２０、アキュムレータ（図示せず）、冷媒配管２１等が設置、収容されている。
【００１３】
制御部５０の電装部品（インバータ制御装置等）は、制御箱７０内に収容され、制御箱７０は、送風機室６２と機械室６３とに跨って、仕切板６１の上部に設置されている。インバータ制御装置等の電装部品（以下、単に「制御装置」という）の発熱は、制御箱７０に設置したヒートシンクにより、及び、送風機室６２内に外気を通風させる室外送風機４０の負圧を利用して制御箱７０内に外気を流通させることにより、冷却する。また、雨天時には、室外送風機４０から弾かれた水滴が制御箱７０内に浸入しないようにしている。
【００１４】
次に、図２〜図５を参照して、制御箱７０の構造について説明する。図２は、実施例の制御箱の分解斜視図であり、図３は、実施例の制御箱の斜視図であり、図４は、実施例の制御箱の他の方向から見た斜視図であり、図５は、実施例の制御箱の部分前面図である。
【００１５】
制御部５０の図示しない制御装置は、基板に取付けられ、段状に形成された制御箱７０内に収納される。制御箱７０は、底板７２、蓋７８（図１参照）、防水板７３、前面板７４、背面板７５、上段底板７６及び上段遮水板７７により形成されている。制御箱７０の機械室６３側は開放され、制御箱７０は、機械室６３に連通している。また、機械室６３は、筺体６０の外側の外気に連通している。
【００１６】
上段底板７６には、矩形の開口７６ａが設けられ、開口７６ａには、制御装置のＩＰＭ及びダイオードブリッジの熱を放熱するヒートシンク（図示せず）が、放熱フィンを下方へ向けて取付けられる。これにより、ヒートシンクが送風機室６２で放熱できるようになっている。制御箱７０の機械室６３側には、基板の下側に実装された制御装置の電解コンデンサ（図示せず）が収納される。
【００１７】
背面板７５の上段遮水板７７側には、室外送風機４０のモータと制御装置とを接続するケーブルを通す切欠き部７５ａが設けられている。上段遮水板７７には、蓋７８に設けられた係合凹部（図示せず）に係合する係合凸部７７ａが設けられている。
【００１８】
防水板７３の外側（送風機室６２側）には、防水板７３側を開放した箱状のダクト８０が取付けられる。ダクト８０の開放面は、防水板７３により塞がれる。ダクト８０の底板８２は、制御箱７０の底板７２より低い位置となっている。ダクト８０の送風機室６２側は、遮水板８１により塞がれ、制御箱７０側の下部は、下部遮水板８４により塞がれている。
【００１９】
遮水板８１（送風機室６２側の板）の前面側（一側；室外機９０の前面側）には、第１の遮水通風孔としての複数（１１個）の縦型のルーバー８１ａが設けられている。縦型のルーバー８１ａは、通風スリット８１ｂが室外機９０の背面側（室外熱交換器３０側）を向くように、遮水板８１の外側（送風機室６２側）に切り起こされている。
【００２０】
防水板７３の室外機９０の背面側（他側）には、第２の遮水通風孔としての複数（４個）の横型のルーバー７３ａが設けられている。横型のルーバー７３ａは、通風スリット７３ｂが上方を向くように、防水板７３の外側（ダクト８０側）に切り起こされている。
【００２１】
制御箱７０の底板７２の防水板７３寄りには、底部通風孔としてのルーバー７２ａが設けられている。ルーバー７２ａは、通風スリット７２ｂがダクト８０内に開口するように、底板７２を下方に切り起こしている。なお、底部通風孔としては、防水板７３の下部（底部）に、ルーバー７２ｔ（図５に配置位置のみを示す）を設けてもよい。すなわち、底部通風孔は、底板７２や、防水板７３の下部等の、制御箱７０の底部に設ければよい。
【００２２】
底板７２の機械室６３側には、制御箱７０内に浸入して底板７２上に落下した水が機械室６３に滴下するのを防ぐ堰としてのビーディング７２ｃが設けられている。ダクト８０の前面板８３の下部には、ダクト８０の底板８２に落下した水を送風機室６２内（ダクト８０の外部）に排水する排水口８３ａが設けられている。なお、排水口８３ａは、ダクト８０の底板８２に設けてもよい。
【００２３】
次に、以上説明した構造を有する空気調和機の室外機９０を運転したときの制御箱７０の通風、防水状態について、図１〜図５を参照して説明する。通常の冷暖房運転時は、室外送風機４０は、図１の実線矢印方向に回転する。このとき、室外機９０の周辺の空気は、室外機９０の背面側（室外熱交換器３０の外側）から送風機室６２内を通って室外機９０の前面側に流れ、送風機室６２内は、周辺の外気圧に対して負圧になる。
【００２４】
そのため、室外機９０の機械室６３側周辺の外気が、筺体６０の隙間を通って機械室６３内に吸込まれ、制御箱７０の機械室６３側から制御箱７０内に吸込まれる。制御箱７０内に吸込まれた空気は、制御装置を冷却し、横型のルーバー７３ａの通風スリット７３ｂ及び底板７２のルーバー７２ａ（又は、ルーバー７２ｔ）の通風スリット７２ｂを通ってダクト８０内に吸込まれる。
【００２５】
ダクト８０内に吸込まれた空気は、縦型のルーバー８１ａの通風スリット８１ｂから送風機室６２内に吸込まれる。以上説明したように、通常運転時は、室外送風機４０の送風による送風機室６２の負圧により、制御箱７０内に気流が発生し、制御装置が冷却される。
【００２６】
また、室外送風機４０の外周部に発生する回転気流により、ヒートシンクが冷却され、制御装置のＩＰＭ及びダイオードブリッジが冷却される。このようにして、空気調和機の室外機９０は正常に運転を継続することができる。
【００２７】
次に、雨天時の運転について説明する。雨天の場合、室外送風機４０による室外機９０の周辺の空気の流れは、上記の通常運転時と変わらず、室外機９０の背面側（室外熱交換器３０の外側）から送風機室６２内を通って室外機９０の前面側に流れ、送風機室６２内は、周辺の外気圧に対して負圧になる。
【００２８】
しかし、室外送風機４０に雨がかかり、室外送風機４０の回転により、水滴が回転方向に飛び出す。飛び出した水滴の大部分は、ダクト８０の遮水板８１及び縦型のルーバー８１ａに遮られ、殆んど、ダクト８０内に浸入することはない。
【００２９】
また、室外機９０の前面側のファングリル（図示せず）から浸入する水滴や、室外送風機４０から飛散してファングリルで弾かれた水滴は、縦型のルーバー８１ａの通風スリット８１ｂが室外機９０の背面側を向いているので、殆んど、通風スリット８１ｂからダクト８０内に浸入することはない。
【００３０】
一部の水滴が、通風スリット８１ｂからダクト８０内に浸入するが、ダクト８０内で沈降して底板８２に落下するか、または、ダクト８０内で防水板７３に当たり、防水板７３を伝わって底板８２に落下し、底板８２上を流れて排水口８３ａから送風機室６２に排水される。
【００３１】
防水板７３に当たったごく一部の水滴が、細かな水滴（ミスト）となってダクト８０内で浮遊するが、ダクト８０内を通風スリット８１ｂへ向って流れる気流に押されて送風機室６２側へ戻され、通風スリット７３ｂを通過して制御箱７０内に浸入することは、殆んどない。
【００３２】
以上説明したように、雨天時においても、水滴又はミストが制御箱７０内に浸入することは殆んどなく、室外送風機４０が発生させる気流及び負圧による制御箱７０内の気流により、制御装置のＩＰＭ、ダイオードブリッジ及び電解コンデンサ等が冷却され、空気調和機の室外機９０は正常に運転を継続することができる。
【００３３】
次に、暴風雨時に室外機９０が停止している場合について説明する。暴風雨時には、極端な場合、送風機室６２前面のファングリルから送風機室６２内に強風が吹き込み、室外送風機４０が逆回転し、外気が、室外機９０の前面側から送風機室６２内を通って室外機９０の背面側（室外熱交換器３０の外側）に流れ、送風機室６２内は、周辺の外気圧に対して正圧（高圧）となる。
【００３４】
また、室外送風機４０が逆回転して雨水が回転方向に弾かれ、ダクト８０の遮水板８１の近くに飛散する。また、送風機室６２内が正圧となることにより、ダクト８０内及び制御箱７０内には、上述の通常運転とは逆方向に空気が流れる。
【００３５】
すなわち、送風機室６２内の空気は、縦型のルーバー８１ａの通風スリット８１ｂを通ってダクト８０内に入り、横型のルーバー７３ａの通風スリット７３ｂ及び底板７２に設けられたルーバー７２ａ（又は、ルーバー７２ｔ）の通風スリット７２ｂを通って制御箱７０内に入り、制御箱７０の機械室６３側から機械室６３を通って筺体６０の隙間から室外機９０の外へ押出される。
【００３６】
一方、室外送風機４０で弾かれた雨水は、縦型のルーバー８１ａの通風スリット８１ｂが室外機９０の背面側を向いているので、大部分が縦型のルーバー８１ａに遮られ、通風スリット８１ｂからダクト８０内に流れる空気とともにダクト８０内に浸入する水滴及びミストは、ごく一部である。
【００３７】
ダクト８０内に浸入した水滴及びミストは、大部分が、ダクト８０内で沈降して底板８２に落下するか、または、ダクト８０内で防水板７３に当たり、防水板７３を伝わって底板８２に落下し、底板８２上を流れて排水口８３ａから送風機室６２に排水される。
【００３８】
ダクト８０内に浸入した水滴及びミストのごく一部は、気流に乗ってダクト８０内を横型のルーバー７３ａに向って流れ、横型のルーバー７３ａの上向き傾斜面により遮水板８１側へ押し戻され、遮水板８１を伝わって底板８２に落下し、底板８２上を流れて排水口８３ａから送風機室６２に排水される。また、一部は、横型のルーバー７３ａで捕捉され、防水板７３を伝って、ダクト８０の底板８２又は制御箱７０の底板７２に落下する。
【００３９】
制御箱７０の底板７２に落下した水は、ルーバー７２ａ（又は、ルーバー７２ｔ）の通風スリット７２ｂからダクト８０内に戻され、底板８２上を流れて排水口８３ａから送風機室６２に排水される。このように、雨水が、通風スリット７３ｂを通過して制御箱７０内に浸入することは、殆んどない。
【００４０】
また、万が一、雨水が制御箱７０内に浸入しても、制御箱７０の底板７２の機械室６３側には、堰としてのビーディング７２ｃが設けられているので、底板７２上に落下した雨水が機械室６３に滴下して圧縮機２０のケーブル接続端子等を濡らすのを防ぐことができる。
【００４１】
また、従来、制御箱７０の各板同士の突合せ角部（例えば、図２に示す符号７９）や切欠き部７５ａ等には、雨水が浸入しないように、シール材を貼付しており、製造工数アップ及びコストアップの問題があったが、制御箱７０の底板７２（又は、防水板７３の下部）に通風スリット７２ｂを設けたので、制御箱７０に若干の雨水が浸入しても問題はなく、シール材の貼付を省略することができる。また、制御箱７０の底板７２（又は、防水板７３の下部）に通風スリット７２ｂを設けたので、制御箱７０の放熱効果を向上させることができる。
【産業上の利用可能性】
【００４２】
以上のように、本発明にかかる空気調和機の室外機は、雨天時や暴風雨時の運転に適している。
【符号の説明】
【００４３】
１０  ベース
２０  圧縮機
２１  冷媒配管
３０  室外熱交換器
４０  室外送風機
５０  制御部
６０  筺体
６１  仕切板
６２  送風機室
６３  機械室
７０  制御箱
７２  底板
７２ａ  ルーバー（底部通風孔）
７２ｂ  通風スリット
７２ｃ  ビーディング（堰）
７２ｔ  ルーバー（底部通風孔）
７３  防水板
７３ａ  横型のルーバー（第２の遮水通風孔）
７３ｂ  通風スリット
７４  前面板
７５  背面板
７５ａ  切欠き部
７６  上段底板
７６ａ  開口
７７  上段遮水板
７７ａ  係合凸部
７８  蓋
７９  突合せ角部
８０  ダクト
８１  遮水板
８１ａ  縦型のルーバー（第１の遮水通風孔）
８１ｂ  通風スリット
８２  底板
８３  前面板
８３ａ  排水口
８４  下部遮水板
９０  空気調和機の室外機
【図１】
2011094926.tif 000003
【図２】
2011094926.tif 000004
【図３】
2011094926.tif 000005
【図４】
2011094926.tif 000006
【図５】
2011094926.tif 000007